(57)【特許請求の範囲】
【請求項１】
接続モードで動作するＷＴＲＵ（ワイヤレス送信／受信ユニット）において実施される方法であって、
自律的な探索機能に基づいてＨＮＢ（ホームノードＢ）ＣＳＧセル近接性（closed subscriber group cell proximity）を検出するステップと、
ＣＳＧホワイトリストを生成するステップと、
前記ＣＳＧホワイトリストの中に含められた各セルに優先度を割り当てるステップと、
ネットワークにメッセージをシグナリングするステップであって、前記メッセージは、近接性通知（proximity indication）と、前記割り当てられた優先度とを含み、前記ＷＴＲＵが、前記ＣＳＧホワイトリストの中に含められたＣＳＧ  ＩＤを有する少なくとも１つのセルの近辺（proximity）に入ること（entering）、またはそのような近辺を出る（leaving）ことをさらに示すステップとを備えることを特徴とする方法。
【請求項２】
前記近接性通知は、少なくとも１つのＣＳＧセルが所定のしきい値を超える優先度を有するという条件付きで送信されることを特徴とする請求項１に記載の方法。
【請求項３】
前記近接性通知は、所定の区域内にＣＳＧが存在する各周波数に関して送信されることを特徴とする請求項１に記載の方法。
【請求項４】
ＷＴＲＵ（ワイヤレス送信／受信ユニット）であって、
自律的な探索機能に基づいてＣＳＧセル近接性（closed subscriber group cell proximity）を検出するように構成された回路と、
ＣＳＧホワイトリストを格納するように構成された回路と、
前記ＣＳＧホワイトリストの中に含められた各セルに優先度を割り当てるように構成された回路と、
メッセージを生成するように構成された回路であって、前記メッセージは、ネットワークに対する近接性通知（proximity indication）と、前記割り当てられた優先度とを含み、前記メッセージは、前記ＷＴＲＵが、前記ＣＳＧホワイトリストの中に含められたＣＳＧ  ＩＤを有する少なくとも１つのセルの近辺（proximity）に入ること（entering）、またはそのような近辺を出ること（leaving）をさらに示す回路とを備えることを特徴とするＷＴＲＵ。
【請求項５】
前記近接性通知は、少なくとも１つのＣＳＧセルが所定のしきい値を超える優先度を有するという条件付きで送信されることを特徴とする請求項４に記載のＷＴＲＵ。
【請求項６】
前記近接性通知は、所定の区域内にＣＳＧが存在する各周波数に関して送信されることを特徴とする請求項４に記載のＷＴＲＵ。
【発明の詳細な説明】
【技術分野】
【０００１】
本出願は、参照により内容が本明細書に組み込まれている、２０１０年１月８日に出願した米国特許仮出願第６１／２９３，４９７号明細書の利益を主張するものである。
【０００２】
本発明は、移動体通信技術に関する。
【背景技術】
【０００３】
ホームノードＢまたはホームｅノードＢ（以降、ひとまとめにしてＨＮＢ（ホームノードＢ）と呼ぶ）とは、ＷＬＡＮ（ワイヤレスローカルエリアネットワーク）ＡＰ（アクセスポイント）に類似するデバイスを指す。ＨＮＢは、ユーザが、自宅または小さいオフィスなどの小さいサービスエリアにわたってセルラサービスへアクセスすることを可能とする。ＨＮＢは、例えば、インターネット接続（例えば、ＤＳＬ（digital subscriber line：デジタル加入者線）を使用することによって事業者のコアネットワークに接続することが可能である。
【０００４】
ＨＮＢ  ＣＳＧ（Closed Subscriber Group：限定加入者グループ）セルとは、ＨＮＢによって提供される無線カバレッジに、そのセルのサービスを使用することを許可された加入者のグループによってアクセスが行われ得る区域を指すことがある。これらの許可されるＷＴＲＵ（ワイヤレス送信／受信ユニット）は、そのＣＳＧセルのメンバと呼ばれる。ＣＳＧは、そのＨＮＢ  ＣＳＧセルにアクセスしようと試みる、或る特定のロケーションの近辺にいる家族または任意の人を含むことが可能である。加入者は、そのようなサービスが所望される区域にわたってＨＮＢを使用してＣＳＧセルを展開することができる。各ＷＴＲＵは、そのＷＴＲＵがアクセスすることを許可されているＣＳＧセルのＣＳＧ  Ｉｄを含むホワイトリスト（「許されたＣＳＧリスト（Allowed CSG List）」）を格納することが可能である。ハイブリッドセルは、メンバＷＴＲＵに関してはＣＳＧセルのように機能し、非メンバＷＴＲＵに関してはオープンセルのように機能するセルである。
【発明の概要】
【０００５】
接続モード（connected mode）で動作するＷＴＲＵにおいて実施される方法であって、自律的な探索機能に基づいてＣＳＧ近接性（CSG proximity）を検出するステップと、ネットワークに近接性通知（proximity indication）をシグナリングするステップであって、近接性通知は、許される少なくとも１つの隣接ＣＳＧセル（neighbor CSG cell）の少なくとも１つの優先度を含むステップとを備える方法。
【０００６】
接続モードで動作するＷＴＲＵにおいて実施される方法であって、隣接ＣＳＧセルに対して測定を実行するステップと、少なくとも１つの隣接ＣＳＧセルの測定値を含む測定レポート（measurement report）を生成するステップと、少なくとも１つのＣＳＧセルに関する測定レポートおよびＣＳＧ優先度を含むメッセージを送信するステップとを備える方法。
【図面の簡単な説明】
【０００７】
【図１Ａ】開示される１つまたは複数の実施形態が実施され得る例示的な通信システムを示すシステム図である。
【図１Ｂ】図１Ａに示される通信システム内で使用され得る例示的なＷＴＲＵ（ワイヤレス送信／受信ユニット）を示すシステム図である。
【図１Ｃ】図１Ａに示される通信システム内で使用され得る例示的な無線アクセスネットワークおよび例示的なコアネットワークを示すシステム図である。
【図２】例示的な初期アクセス手順を示す流れ図である。
【図３】例示的な再選択手順を示す図である。
【図４】周波数間シナリオ、および／またはＲＡＴ間シナリオに関するＣＳＧセルに対するセル再選択のための方法を示す流れ図である。
【発明を実施するための形態】
【０００８】
添付の図面に関連して例として与えられる以下の説明から、より詳細な理解を得ることができる。
【０００９】
図１Ａは、開示される１つまたは複数の実施形態が実施され得る例示的な通信システム１００の図である。通信システム１００は、音声、データ、ビデオ、メッセージング、ブロードキャストなどのコンテンツを複数のワイヤレスユーザに供給する多元接続システムであり得る。通信システム１００は、複数のワイヤレスユーザが、ワイヤレス帯域幅を含むシステムリソースの共有を通して、そのようなコンテンツにアクセスすることを可能にすることができる。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（シングルキャリアＦＤＭＡ）などの１つまたは複数のチャネルアクセス方法を使用することが可能である。
【００１０】
図１Ａに示されるとおり、通信システム１００は、ＷＴＲＵ（ワイヤレス送信／受信ユニット）１０２ａ、１０２ｂ、１０２ｃ、１０２ｄと、ＲＡＮ（無線アクセスネットワーク）１０４と、コアネットワーク１０６と、ＰＳＴＮ（公衆交換電話網）１０８と、インターネット１１０と、他のネットワーク１１２とを含み得るが、開示される実施形態は、任意の数のＷＴＲＵ、基地局、ネットワーク、および／またはネットワーク要素を企図することが理解されよう。ＷＴＲＵ１０２ａ、１０２ｂ、１０２ｃ、１０２ｄのそれぞれは、ワイヤレス環境において動作し、および／または通信するように構成された任意のタイプのデバイスであり得る。例として、ＷＴＲＵ１０２ａ、１０２ｂ、１０２ｃ、１０２ｄは、ワイヤレス信号を送信するように、および／または受信するように構成されることが可能であり、さらにＵＥ（ユーザ機器）、移動局、固定加入者ユニットもしくはモバイル加入者ユニット、ポケットベル、セルラ電話機、ＰＤＡ（携帯情報端末）、スマートフォン、ラップトップ、ネットブック、パーソナルコンピュータ、ワイヤレスセンサ、家庭用電子機器などを含むことが可能である。
【００１１】
また、通信システム１００は、基地局１１４ａおよび基地局１１４ｂを含むことも可能である。基地局１１４ａ、１１４ｂのそれぞれは、コアネットワーク１０６、インターネット１１０、および／またはネットワーク１１２などの１つまたは複数の通信ネットワークへのアクセスを円滑にするようにＷＴＲＵ１０２ａ、１０２ｂ、１０２ｃ、１０２ｄの少なくとも１つとワイヤレスでインターフェースをとるように構成された任意のタイプのデバイスであり得る。例として、基地局１１４ａおよび１１４ｂは、ＢＴＳ（基地局トランシーバ）、ノードＢ、ｅノードＢ、ホームノードＢ、ホームｅノードＢ、サイトコントローラ、ＡＰ（アクセスポイント）、ワイヤレスルータなどであり得る。基地局１１４ａ、１１４ｂはそれぞれ、単一の要素として図示されるが、基地局１１４ａ、１１４ｂは、任意の数の互いに接続された基地局および／またはネットワーク要素を含み得ることが認識されよう。
【００１２】
基地局１１４ａは、他の基地局、および／またはＢＳＣ（基地局コントローラ）、ＲＮＣ（無線ネットワークコントローラ）、中継ノードなどの他のネットワーク要素（図示せず）を含むことも可能なＲＡＮ１０４の一部であり得る。基地局１１４ａおよび／または基地局１１４ｂは、セル（図示せず）と呼ばれ得る特定の地理的区域内でワイヤレス信号を送信するように、および／または受信するように構成され得る。セルは、セルセクタにさらに分割されることが可能である。例えば、基地局１１４ａに関連付けられたセルが、３つのセクタに分割され得る。このため、一実施形態において、基地局１１４ａは、３つの、すなわち、セルの各セクタにつき１つのトランシーバを含むことができる。別の実施形態において、基地局１１４ａは、ＭＩＭＯ（多入力多出力）技術を使用することが可能であり、したがって、セルの各セクタにつき複数のトランシーバを利用することが可能である。
【００１３】
基地局１１４ａ、１１４ｂは、任意の適切なワイヤレス通信リンク（例えば、ＲＦ（無線周波数）、マイクロ波、ＩＲ（赤外線）、ＵＶ（紫外線）、可視光など）であり得る無線インターフェース１１６を介して、ＷＴＲＵ１０２ａ、１０２ｂ、１０２ｃ、１０２ｄの１つまたは複数と通信することが可能である。無線インターフェース１１６は、任意の適切なＲＡＴ（無線アクセス技術）を使用して確立され得る。
【００１４】
より具体的には、前述したとおり、通信システム１００は、多元接続システムであることが可能であり、さらにＣＤＭＡ、ＴＤＭＡ、ＦＤＭＡ、ＯＦＤＭＡ、ＳＣ−ＦＤＭＡなどの１つまたは複数のチャネルアクセススキームを使用することが可能である。例えば、ＲＡＮ１０４における基地局１１４ａ、およびＷＴＲＵ１０２ａ、１０２ｂ、１０２ｃは、ＷＣＤＭＡ（広帯域ＣＤＭＡ）を使用して無線インターフェース１１６を確立することが可能なＵＴＲＡ（UMTS（Universal Mobile Telecommunications System） Terrestrial Radio Access：ＵＭＴＳ陸上無線アクセス）などの無線技術を実施することが可能である。ＷＣＤＭＡは、ＨＳＰＡ（High-Speed Packet Access：高速パケットアクセス）および／またはＨＳＰＡ＋（Evolved HSPA：発展型ＨＳＰＡ）などの通信プロトコルを含むことが可能である。ＨＳＰＡは、ＨＳＤＰＡ（High-Speed Downlink Packet Access：高速下りリンクパケットアクセス）および／またはＨＳＵＰＡ（High-Speed Uplink Packet Access：高速上りリンクパケットアクセス）を含み得る。
【００１５】
別の実施形態において、基地局１１４ａおよびＷＴＲＵ１０２ａ、１０２ｂ、１０２ｃは、ＬＴＥ（Long Term Evolution）および／またはＬＴＥ−Ａ（LTE-Advanced）を使用して無線インターフェース１１６を確立することが可能なＥ−ＵＴＲＡ（Evolved UMTS Terrestrial Radio Access：発展型ＵＭＴＳ陸上無線アクセス）などの無線技術を実施することが可能である。
【００１６】
他の実施形態において、基地局１１４ａ、およびＷＴＲＵ１０２ａ、１０２ｂ、１０２ｃは、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００  ＥＶ−ＤＯ、ＩＳ−２０００（暫定標準２０００）、ＩＳ−９５（暫定標準９５）、ＩＳ−８５６（暫定標準８５６）、ＧＳＭ（Global System for Mobile communications）、ＥＤＧＥ（Enhanced Data rates for GSM Evolution）、ＧＥＲＡＮ（GSM EDGE）などの無線技術を実施することが可能である。
【００１７】
図１Ａにおける基地局１１４ｂは、例えば、ワイヤレスルータ、ホームノードＢ、ホームｅノードＢ、またはアクセスポイントであることが可能であり、さらに事業所、自宅、車両、キャンパスなどの局所化された区域内でワイヤレス接続性を円滑にするために任意の適切なＲＡＴを利用することが可能である。一実施形態において、基地局１１４ｂおよびＷＴＲＵ１０２ｃ、１０２ｄは、ＩＥＥＥ８０２．１１などの無線技術を実施して、ＷＬＡＮ（ワイヤレスローカルエリアネットワーク）を確立することが可能である。別の実施形態において、基地局１１４ｂおよびＷＴＲＵ１０２ｃ、１０２ｄは、ＩＥＥＥ８０２．１５などの無線技術を実施して、ＷＰＡＮ（ワイヤレスパーソナルエリアネットワーク）を確立することが可能である。さらに別の実施形態において、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することが可能である。図１Ａに示されるとおり、基地局１１４ｂは、インターネット１１０に対する直接の接続を有し得る。このため、基地局１１４ｂは、コアネットワーク１０６を介してインターネット１１０にアクセスすることを要求されないことがある。
【００１８】
ＲＡＮ１０４は、ＷＴＲＵ１０２ａ、１０２ｂ、１０２ｃ、１０２ｄの１つまたは複数に音声、データ、アプリケーション、および／またはＶｏＩＰ（ボイスオーバインターネットプロトコル）サービスを提供するように構成された任意のタイプのネットワークであり得るコアネットワーク１０６と通信状態にあることが可能である。例えば、コアネットワーク１０６は、呼制御、料金請求サービス、モバイルロケーションベースのサービス、プリペイドの通話、インターネット接続、ビデオ配信などを提供することが可能であり、および／またはユーザ認証などの高レベルのセキュリティ機能を実行することが可能である。図１Ａには示されないものの、ＲＡＮ１０４および／またはコアネットワーク１０６は、ＲＡＮ１０４と同一のＲＡＴ、または異なるＲＡＴを使用する他のＲＡＮと、直接または間接の通信状態にあることが可能であることが理解されよう。例えば、Ｅ−ＵＴＲＡ無線技術を利用していることのあるＲＡＮ１０４に接続されていることに加えて、コアネットワーク１０６は、ＧＳＭ無線技術を使用する別のＲＡＮ（図示せず）と通信状態にあってもよい。
【００１９】
また、コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするゲートウェイの役割をすることも可能である。ＰＳＴＮ１０８は、ＰＯＴＳ（旧来の電話サービス）を提供する回線交換電話網を含むことが可能である。インターネット１１０は、ＴＣＰ／ＩＰインターネットプロトコルスイートにおけるＴＣＰ（伝送制御プロトコル）、ＵＤＰ（ユーザデータグラムプロトコル）、およびＩＰ（インターネットプロトコル）などの共通の通信プロトコルを使用する互いに接続されたコンピュータネットワークおよびコンピュータデバイスの地球規模のシステムを含み得る。ネットワーク１１２は、他のサービスプロバイダによって所有され、および／または運用される有線通信ネットワークまたはワイヤレス通信ネットワークを含み得る。例えば、ネットワーク１１２は、ＲＡＮ１０４と同一のＲＡＴまたは異なるＲＡＴを使用することが可能な、１つまたは複数のＲＡＮに接続された別のコアネットワークを含み得る。
【００２０】
通信システム１００内のＷＴＲＵ１０２ａ、１０２ｂ、１０２ｃ、１０２ｄのいくつか、またはすべては、マルチモード能力を含む可能性があり、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含み得る。例えば、図１Ａに示されるＷＴＲＵ１０２ｃは、セルラベースの無線技術を使用することが可能な基地局１１４ａ、およびＩＥＥＥ８０２無線技術を使用することが可能な基地局１１４ｂと通信するように構成され得る。
【００２１】
図１Ｂは、例示的なＷＴＲＵ１０２のシステム図である。図１Ｂに示されるとおり、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、非リムーバブルメモリ１０６と、リムーバブルメモリ１３２と、電源１３４と、ＧＰＳ（全地球測位システム）チップセット１３６と、他の周辺装置１３８とを含み得る。ＷＴＲＵ１０２は、或る実施形態と整合性を保ったままで、以上の要素の部分的組合せを含み得ることが理解されよう。
【００２２】
プロセッサ１１８は、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、状態マシンなどであることが可能である。プロセッサ１１８は、ＷＴＲＵ１０２がワイヤレス環境で動作することを可能にする信号符号化、データ処理、電力制御、入出力処理、および／または他の任意の機能を実行することが可能である。プロセッサ１１８は、送信／受信要素１２２に結合され得るトランシーバ１２０に結合され得る。図１Ｂは、プロセッサ１１８とトランシーバ１２０を別々の構成要素として示すが、プロセッサ１１８とトランシーバ１２０は、電子パッケージまたは電子チップの中で統合されてもよいことが理解されよう。
【００２３】
送信／受信要素１２２は、無線インターフェース１１６を介して基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、および／または受信するように構成されたアンテナであり得る。別の実施形態において、送信／受信要素１２２は、例えば、ＩＲ信号、ＵＶ信号、または可視光信号を送信するように、および／または受信するように構成されたエミッタ／検出器であり得る。さらに別の実施形態において、送信／受信要素１２２は、ＲＦ信号と光信号の両方を送受信するように構成され得る。送信／受信要素１２２は、ワイヤレス信号の任意の組合せを送信するように、および／または受信するように構成され得ることが理解されよう。
【００２４】
さらに、送信／受信要素１２２は、図１Ｂに単一の要素として示されるものの、ＷＴＲＵ１０２は、任意の数の送信／受信要素１２２を含み得る。より具体的には、ＷＴＲＵ１０２は、ＭＩＭＯ技術を使用することが可能である。このため、一実施形態において、ＷＴＲＵ１０２は、無線インターフェース１１６を介してワイヤレス信号を送受信するための２つ以上の送信／受信要素１２２（例えば、複数のアンテナ）を含み得る。
【００２５】
トランシーバ１２０は、送信／受信要素１２２によって送信されるべき信号を変調するように、さらに送信／受信要素１２２によって受信された信号を復調するように構成されることが可能である。前述したとおり、ＷＴＲＵ１０２は、マルチモード能力を有し得る。このため、トランシーバ１２０は、ＷＴＲＵ１０２が、例えば、ＵＴＲＡやＩＥＥＥ８０２．１１などの複数のＲＡＴを介して通信することを可能にするための複数のトランシーバを含み得る。
【００２６】
ＷＴＲＵ１０２のプロセッサ１１８は、スピーカ／マイクロフォン１２４、キーパッド１２６、および／またはディスプレイ／タッチパッド１２８（例えば、ＬＣＤ（液晶ディスプレイ）ディスプレイユニットまたはＯＬＥＤ（有機発光ダイオード）ディスプレイユニット）に結合され得るとともに、スピーカ／マイクロフォン１２４、キーパッド１２６、および／またはディスプレイ／タッチパッド１２８からユーザ入力データを受け取ることが可能である。また、プロセッサ１１８は、スピーカ／マイクロフォン１２４、キーパッド１２６、および／またはディスプレイ／タッチパッド１２８にユーザデータを出力することも可能である。さらに、プロセッサ１１８は、非リムーバブルメモリ１０６、および／またはリムーバブルメモリ１３２などの任意のタイプの適切なメモリからの情報にアクセスすることが可能であり、さらにそのようなメモリの中にデータを格納することが可能である。非リムーバブルメモリ１０６には、ＲＡＭ（ランダムアクセスメモリ）、ＲＯＭ（読み取り専用メモリ）、ハードディスク、または他の任意のタイプのメモリストレージデバイスが含まれ得る。リムーバブルメモリ１３２には、ＳＩＭ（加入者ＩＤモジュール）カード、メモリスティック、ＳＤ（セキュアデジタル）メモリカードなどが含まれ得る。他の実施形態において、プロセッサ１１８は、サーバまたは自宅コンピュータ（図示せず）などの、ＷＴＲＵ１０２上に物理的に配置されていないメモリからの情報にアクセスすることが可能であり、さらにそのようなメモリの中にデータを格納することが可能である。
【００２７】
プロセッサ１１８は、電源１３４から電力を受け取ることが可能であり、さらにＷＴＲＵ１０２内のその他の構成要素に対して電力を配電し、および／または制御するように構成され得る。電源１３４は、ＷＴＲＵ１０２に電力を供給するための任意の適切なデバイスであり得る。例えば、電源１３４は、１つまたは複数の乾電池（例えば、ＮｉＣｄ（ニッケルカドミウム）、ＮｉＺｎ（ニッケル亜鉛）、ＮｉＭＨ（ニッケル水素）、Ｌｉ−ｉｏｎ（リチウムイオン））、太陽電池、燃料電池などを含み得る。
【００２８】
また、プロセッサ１１８は、ＷＴＲＵ１０２の現在のロケーションに関するロケーション情報（例えば、緯度と経度）を提供するように構成され得るＧＰＳチップセット１３６に結合されることも可能である。ＧＰＳチップセット１３６からの情報に加えて、またはそのような情報の代わりに、ＷＴＲＵ１０２は、無線インターフェース１１６を介して基地局（例えば、基地局１１４ａ、１１４ｂ）からロケーション情報を受信し、および／または近くの２つ以上の基地局から受信されている信号のタイミングに基づいて、ＷＴＲＵ１０２のロケーションを算出してもよい。ＷＴＲＵ１０２は、或る実施形態と整合性を保ったままで、任意の適切なロケーション特定方法によってロケーション情報を獲得し得ることが理解されよう。
【００２９】
プロセッサ１１８は、さらなる特徴、機能、および／または有線接続性もしくはワイヤレス接続性を提供する１つまたは複数のソフトウェアモジュールおよび／またはハードウェアモジュールを含むことが可能な他の周辺装置１３８にさらに結合されてもよい。例えば、周辺装置１３８は、加速度計、電子コンパス（ｅ−ｃｏｍｐａｓｓ）、衛星トランシーバ、デジタルカメラ（写真またはビデオのための）、ＵＳＢ（ユニバーサルシリアルバス）ポート、振動デバイス、テレビトランシーバ、ハンズフリーヘッドセット、Ｂｌｕｅｔｏｏｔｈ（登録商標）モジュール、ＦＭ（周波数変調）ラジオユニット、デジタル音楽プレーヤ、メディアプレーヤ、ビデオゲームプレーヤモジュール、インターネットブラウザなどを含み得る。
【００３０】
図１Ｃは、或る実施形態によるＲＡＮ１０４およびコアネットワーク１０６のシステム図である。前述したとおり、ＲＡＮ１０４は、Ｅ−ＵＴＲＡ無線技術を使用して、無線インターフェース１１６を介してＷＴＲＵ１０２ａ、１０２ｂ、１０２ｃと通信することが可能である。また、ＲＡＮ１０４は、コアネットワーク１０６と通信状態にあってもよい。
【００３１】
ＲＡＮ１０４は、ｅノードＢ１４０ａ、１４０ｂ、１４０ｃを含み得るが、ＲＡＮ１０４は、或る実施形態と整合性を保ったままで、任意の数のｅノードＢを含み得ることが理解されよう。ｅノードＢ１４０ａ、１４０ｂ、１４０ｃはそれぞれ、無線インターフェース１１６を介してＷＴＲＵ１０２ａ、１０２ｂ、１０２ｃと通信するための１つまたは複数のトランシーバを含み得る。一実施形態において、ｅノードＢ１４０ａ、１４０ｂ、１４０ｃは、ＭＩＭＯ技術を実施することが可能である。このため、例えば、ｅノードＢ１４０ａは、複数のアンテナを使用して、ＷＴＲＵ１０２ａにワイヤレス信号を送信すること、およびＷＴＲＵ１０２ａからワイヤレス信号を受信することが可能である。
【００３２】
ｅノードＢ１４０ａ、１４０ｂ、１４０ｃのそれぞれが、特定のセル（図示せず）に関連付けられることが可能であり、さらに無線リソース管理決定、ハンドオーバ決定、上りリンクおよび／または下りリンクにおけるユーザのスケジューリングなどを扱うように構成され得る。図１Ｃに示されるとおり、ｅノードＢ１４０ａ、１４０ｂ、１４０ｃは、Ｘ２インターフェースを介して互いに通信することが可能である。
【００３３】
図１Ｃに示されるコアネットワーク１０６は、ＭＭＥ（mobility management gateway）１４２と、サービングゲートウェイ１４４と、ＰＤＮ（packet data network）ゲートウェイ１４６とを含み得る。以上の要素のそれぞれは、コアネットワーク１０６の一部として図示されるが、これらの要素の任意の要素が、コアネットワーク運用者以外のエンティティによって所有され、および／または運用され得ることが理解されよう。
【００３４】
ＭＭＥ１４２は、Ｓ１インターフェースを介してＲＡＮ１０４におけるｅノードＢ１４２ａ、１４２ｂ、１４２ｃのそれぞれに接続されることが可能であり、さらに制御ノードの役割をすることが可能である。例えば、ＭＭＥ１４２は、ＷＴＲＵ１０２ａ、１０２ｂ、１０２ｃのユーザを認証すること、ベアラ活性化／不活性化、ＷＴＲＵ１０２ａ、１０２ｂ、１０２ｃの初期アタッチ中に特定のサービングゲートウェイを選択することなどを担うことが可能である。また、ＭＭＥ１４２は、ＲＡＮ１０４と、ＧＳＭまたはＷＣＤＭＡなどの他の無線技術を使用する他のＲＡＮ（図示せず）の間で切り換えるための制御プレーン機能をもたらすことも可能である。
【００３５】
サービングゲートウェイ１４４は、Ｓ１インターフェースを介してＲＡＮ１０４におけるｅノードＢ１４０ａ、１４０ｂ、１４０ｃのそれぞれに接続され得る。サービングゲートウェイ１４４は、一般に、ＷＴＲＵ１０２ａ、１０２ｂ、１０２ｃに／からユーザデータパケットをルーティングすること、および転送することが可能である。また、サービングゲートウェイ１４４は、ｅノードＢ間ハンドオーバ中にユーザプレーンをアンカリングすること、ＷＴＲＵ１０２ａ、１０２ｂ、１０２ｃのための下りリンクデータが利用可能な場合にページングをトリガすること、ＷＴＲＵ１０２ａ、１０２ｂ、１０２ｃのコンテキストを管理すること、および格納することなどの、他の機能を実行することも可能である。
【００３６】
また、サービングゲートウェイ１４４は、インターネット１１０などのパケット交換ネットワークに対するアクセスをＷＴＲＵ１０２ａ、１０２ｂ、１０２ｃにもたらして、ＷＴＲＵ１０２ａ、１０２ｂ、１０２ｃとＩＰ対応のデバイスとの間の通信を円滑にするＰＤＮゲートウェイ１４６に接続されることも可能である。
【００３７】
コアネットワーク１０６は、他のネットワークとの通信を円滑にすることが可能である。例えば、コアネットワーク１０６は、ＰＳＴＮ１０８などの回線交換網に対するアクセスをＷＴＲＵ１０２ａ、１０２ｂ、１０２ｃにもたらして、ＷＴＲＵ１０２ａ、１０２ｂ、１０２ｃと従来の陸線通信デバイスとの間の通信を円滑にすることが可能である。例えば、コアネットワーク１０６は、コアネットワーク１０６とＰＳＴＮ１０８の間のインターフェースの役割をするＩＰゲートウェイ（例えば、ＩＭＳ（IP multimedia subsystem）サーバ）を含む、またはそのようなＩＰゲートウェイと通信することが可能である。さらに、コアネットワーク１０６は、他のサービスプロバイダによって所有され、および／または運用される他の有線ネットワークまたはワイヤレスネットワークを含み得るネットワーク１１２に対するアクセスを、ＷＴＲＵ１０２ａ、１０２ｂ、１０２ｃにもたらすことが可能である。
【００３８】
以降、言及される場合、「信号品質」という用語は、セルからの信号の品質を測定するＷＴＲＵによって測られる測定値を指すことがある。この測定値は、例えば、ＲＳＲＱまたはＣＰＩＣＨ  Ｅｃ／Ｎｏに対応することが可能である。以降、言及される場合、セルからの「受信信号電力」とは、ＲＳＲＰまたはＣＰＩＣＨ  ＲＳＣＰを指すことがある。
【００３９】
以降、言及される場合、ＣＳＧ  Ｉｄとは、ＣＳＧアイデンティティを指し、さらにＣＧＩとは、セルグローバルアイデンティティを指す。
【００４０】
セル選択手順、セル再選択手順、およびＣＳＧセルへのハンドオーバ（すなわち、インバウンドハンドオーバ）手順を含め、アイドルモード（Idle mode）および接続モード（connected mode）におけるＣＳＧモビリティ手順（CSG mobility procedures）は、ＣＳＧ優先度の処理を組み込むために変更され得る。
【００４１】
セル再選択手順の実際の状態において、或る周波数における最上位に格付けされたセルが、ＷＴＲＵによって選択され得る。ＣＳＧ優先度を使用して、ユーザは、最高の優先度を有する、より下位に格付けされたＣＳＧセルにキャンプオンすることを選好する可能性があり、このことが、干渉問題をもたらす可能性がある。ＣＳＧセルへのハンドオーバに関して、いずれのターゲットＣＳＧセルを選択すべきかに関する判定は、可能な場合は（例えば、そのことにより生じる干渉が多過ぎない場合）いつでも、最高優先度のＣＳＧセルを優先するために、特定のＷＴＲＵに関するＣＳＧ優先度を認識させられるべきネットワークによって行われる。
【００４２】
図２は、例示的な初期アクセス手順の流れ図を示す。ＷＴＲＵの電源がオンにされて、セル探索および選択手順が活性化される。次に、ＷＴＲＵが、ＳＩ（System Information：システム情報）を獲得する。ＳＩを使用して、ランダムアクセス手順が開始される。ランダムアクセス手順が成功すると、ＷＴＲＵは、ユーザデータを送受信することができる。
【００４３】
ＷＴＲＵの電源がオンにされると、ＷＴＲＵは、セル選択およびセル再選択の目的で測定を実行するように構成される。例えば、ＷＴＲＵは、サービングセルのＲＳＲＰ（Reference Signal Received Power：基準信号受信電力）レベルを測定するように、さらに各ＤＲＸ（Discontinuous Reception：非連続受信）サイクルでサービングセルに関するセル選択基準Ｓを評価するように構成され得る。ＷＴＲＵは、さらなる測定を使用して、サービングセルのＲＳＲＰ測定値を選別することが可能である。ＷＴＲＵが、サービングセルがセル選択基準Ｓを満たさない所定の数を超える連続するＤＲＸサイクルを測定した場合、ＷＴＲＵは、サービングセルによって示される隣接セルの測定を開始することが可能である。
【００４４】
ＮＡＳ（non-access stratum：非アクセス層）プロトコルが、例えば、選択されたＰＬＭＮ（公衆陸上モバイルネットワーク）に関連付けられた１つまたは複数のＲＡＴ（無線アクセス技術）を通知することによって、または１つまたは複数の禁止される登録区域のリストと、均等のＰＬＭＮのリストとを保持することによって、セル選択が実行されるべき１つまたは複数のＲＡＴを制御することが可能である。次に、ＷＴＲＵが、アイドルモード測定値およびセル選択基準に基づいて適切なセルを選択することが可能である。セル選択プロセスを速めるために、いくつかのＲＡＴに関する格納された情報が、ＷＴＲＵにおいて利用可能であり得る。或るセルにキャンプオンしている際、ＷＴＲＵは、セル再選択基準に従って、より良好なセルを定期的に探索することが可能である。より良好なセルが見出された場合、そのセルが選択され得る。
【００４５】
ＮＡＳは、セル選択およびセル再選択が、ＮＡＳに関係のある受信されるシステム情報の変化をもたらす場合、通知を受けることが可能である。
【００４６】
通常のサービスの場合、ＷＴＲＵは、或る適切なセルにキャンプオンし、そのセルの制御チャネルに合わせることが可能であり、さらにＷＴＲＵは、ＰＬＭＮからシステム情報および登録区域情報を受信し、他のＡＳ（アクセス層）情報およびＮＡＳ情報を受信し、さらに登録している場合、ＰＬＭＮからページングメッセージおよび通知メッセージを受信することが可能である。
【００４７】
図３は、例示的な再選択手順を示す。ＷＴＲＵが、測定制御情報と、ＵＬ割当て情報とを受信する（３１０、３２０）。ＷＴＲＵが、ソースｅＮＢに測定レポートを送信する（３３０）。すると、ソースｅＮＢが、ハンドオフ判定を生成し、次に、ハンドオーバ要求をターゲットｅＮＢに送ることが可能である（３４０、３４５）。ターゲットｅＮＢが、受付け制御を実行し（３６０）、ＷＴＲＵは、ＤＬ割当てを与えられる（３５０）。次に、ターゲットｅＮＢが、ハンドオーバ要求ＡＣＫをソースｅＮＢに送り返すことが可能であり、すると、ソースｅＮＢは、ハンドオーバコマンドをＷＴＲＵに送ることが可能である（３７０、３７５）。ハンドオーバコマンドが受信された後、ＷＴＲＵは、次に、ターゲットｅＮＢを相手に同期およびＲＡＣＨアクセス手順を開始することが可能であり（３８０）、開始した後、ＵＬ割当てが与えられる（３８５）。測定レポートに基づいて、ハンドオーバ／再選択判定が判定され得る（３９０）。ＷＲＴＵは、次いでハンドオーバコマンドを受信することができ、その後、同期およびＲＡＣＨ手順を再開することができる。ハンドオーバが実行されると、ソースｅＮＢが、ソースｅＮＢのバッファをフラッシュし、リソースを開放することが可能である（３９５）。オプションとして、ソースｅＮＢが、或る期間、リソースを保持するように構成されて、ＷＴＲＵが、ソースｅＮＢを迅速に再選択することができるようにしてもよい。
【００４８】
サービングセルに関するセル格付け基準（Ｒs）、および隣接セルに関するセル格付け基準（Ｒn）が、以下の式によって記述され得る。すなわち、
Ｒs＝Ｑmeas,s＋ＱHyst
Ｒn＝Ｑmeas,n＋Ｑoffset
ただし、Ｑmeasは、セル再選択の際に使用されるＲＳＲＰ測定量である。さらに、周波数内に関して、Ｑｏｆｆｓｅｔs,nが有効である場合、Ｑｏｆｆｓｅｔ＝Ｑｏｆｆｓｅｔs,nであり、Ｑｏｆｆｓｅｔs,nが有効でない場合、Ｑｏｆｆｓｅｔは“０”である。周波数間に関して、Ｑｏｆｆｓｅｔs,nが有効である場合、Ｑｏｆｆｓｅｔ＝Ｑｏｆｆｓｅｔs,n＋Ｑｏｆｆｓｅｔfrequencyであり、Ｑｏｆｆｓｅｔs,nが有効でない場合、ＱｏｆｆｓｅｔはＱｏｆｆｓｅｔfrequencyと等しい。Ｑｏｆｆｓｅｔs,nは、２つのセル間のオフセットを示す。ＱHystは、格付け基準に関するヒステリシス値を示す。Ｑｏｆｆｓｅｔfrequencyは、等しい優先度のＥ−ＵＴＲＡＮ周波数に関する周波数固有のオフセットである。これらのパラメータは、サービングセルによってシグナリングされ得る。
【００４９】
ＷＴＲＵは、所定のセル選択を満たすすべてのセルの格付けを実行することが可能である。ＷＴＲＵは、許されていないことがＷＴＲＵによって知られているＣＳＧセルを除外することが可能である。それらのセルは、Ｑmeas,nおよびＱmeas,sを導き出し、さらに平均されたＲＳＲＰ結果を使用してＲ値を計算して、所定の基準に従って格付けされなければならない。
【００５０】
アイドルモードにおけるＣＳＧ優先度
アイドルモードにおけるＷＴＲＵに関して、セル選択／再選択手順は、ＣＳＧ優先度を考慮に入れるように構成され得る。
【００５１】
図４は、周波数間シナリオ、および／またはＲＡＴ間シナリオに関するＣＳＧセルに対するセル再選択のための方法を示す流れ図である。このシナリオにおいて、現在のサービングセルとターゲットＣＳＧセルは、異なる周波数上にあり、および／または現在のサービングセルとターゲットＣＳＧセルは、異なるＲＡＴに属する。ＷＴＲＵが、近くのセルから測定値を受信する（４１０）。ＷＴＲＵが、異なる周波数上の適切な複数のＣＳＧセルを検出する（４２０）。あるいは、ＷＴＲＵは、ＣＳＧ  ＩＤがＷＴＲＵのホワイトリストの一部であるＣＳＧセルのみ選択してもよい。ＣＳＧ  ＩＤは、セルシステム情報の中で獲得され得る。ＷＴＲＵが、それらのＣＳＧセルの各ＣＳＧセルの信号強度を決定する（４３０）。この信号強度は、ＲＳＲＰまたはＣＰＩＣＨ  ＲＳＣＰに基づいて決定され得る。また、セル選択／再選択のために、ＷＴＲＵは、セル品質、すなわち、ＲＳＲＱおよびＣＰＩＣＨ  Ｅｃ／Ｎ０を測定することも可能である。次に、ＷＴＲＵが、これらのＣＳＧセルがそれぞれのＣＳＧセルの周波数の範囲内で最も強いかどうかを判定する（４４０）。それらのＣＳＧセルがそれぞれのＣＳＧセルの周波数のうちで最も強い場合、ＷＴＲＵは、ＣＳＧセルのサブセットのなかから、最高のＣＳＧ優先度を有するＣＳＧセルを再選択する（４５０）。
【００５２】
ＣＳＧセルの選択されたサブセットに複数のセルが存在する場合、ＷＴＲＵは、それらのセルのうち１つを選択するさらなる手順を実行するように構成され得る。第１の方法において、ＷＴＲＵは、１つのセルを恣意的に（例えば、ランダム関数に従って）選択することが可能である。あるいは、ＣＳＧ優先度が、異なるレベルの優先度（すなわち、下位優先度など）を有する場合。複数のＣＳＧセルが階層の所与のレベルで同一の優先度を有する場合、ＷＴＲＵは、これらのＣＳＧセルの次のレベルの優先度を確認し、さらに最高の下位レベル優先度を有するＣＳＧセルを再選択することが可能である。一部の事例において、優先度レベルの数は、制限されていなくてもよく、さらにＷＴＲＵは、異なる深度のＣＳＧ下位優先度を確認するように構成され得る。これらのセルのなかで、いくつかのＣＳＧセルが、最高のＣＳＧ優先度と、最高のＣＳＧ下位優先度とを有する場合、ＷＴＲＵは、例えば、ランダム関数に従って、それらのＣＳＧセルのいずれかを恣意的に再選択することができる。
【００５３】
別の実施形態において、ＷＴＲＵは、周波数内シナリオ、周波数間シナリオ、およびＲＡＴ間シナリオに関するセル選択手順のために構成され得る。ＷＴＲＵは、近くのセルから測定値を受信する。ＷＴＲＵは、信号強度およびその他のメトリックに基づいて近くの複数のセルの各セルの優先度を格付けするように構成され得る。ＷＴＲＵは、或る適切なＣＳＧセルを、そのＣＳＧセルが最高の優先度を有する場合、そのＣＳＧセルがそのＣＳＧセルの周波数上で最上位に格付けされていない場合でも、さらに（周波数内の事例で）そのＣＳＧセルが現在のサービングセルより高く格付けされていない場合でも、再選択するように構成され得る。例えば、ＷＴＲＵは、そのＣＳＧセルの周波数上で最上位に格付けをされていない高い優先度のＣＳＧセルを、このＣＳＧセルより上位に格付けされたすべてのセルが他のＣＳＧセル（より低い優先度の、または優先度が同等以下の）である場合、再選択することが可能である。この条件は、オープンなセル（例えば、マクロセルラネットワーク）を干渉から保護することが可能である。別の条件は、選択されるべき高い優先度のＣＳＧセルより高位に格付けされたセルが、より下位に格付けされたセルへの周波数内再選択がＩＦＲＩ（intra-frequency reselection indicator：周波数内再選択指標）情報要素に従って許されることをシグナリングしている、ということを要求するようになっていてもよい。以上の条件が満たされ、さらにターゲットセルの信号品質が所定のしきい値を超えており、および／またはターゲットセルの信号品質が、所定の期間、最上位に格付けされたセルを所定のしきい値を超えて下回っていない場合、ＷＴＲＵは、より下位に格付けされたセルを再選択することを許され得る。
【００５４】
適切なＣＳＧセルの受信信号電力および／または信号品質に関する他の条件が使用されてもよい。このため、ＷＴＲＵが、最高の優先度を有する適切なＣＳＧセルの受信信号電力および／または信号品質を最上位に格付けされたセルと比較するのに使用することが可能であり、周波数内の場合には、例えば、ＣＳＧ＿ｏｆｆｓｅｔ＿ｉｎｔｒａと呼ばれ、周波数間の場合には、例えば、ＣＳＧ＿ｏｆｆｓｅｔ＿ｉｎｔｅｒと呼ばれることのあるオフセットが、定義され得る。｛最高のＣＳＧ優先度を有する適切なＣＳＧセルの受信信号電力および／または信号品質｝が、｛最上位に格付けされたセルの受信信号電力および／または信号品質から、周波数内の場合にＣＳＧ＿ｏｆｆｓｅｔ＿ｉｎｔｒａを引いた値、または周波数間の場合にＣＳＧ＿ｏｆｆｓｅｔ＿ｉｎｔｅｒを引いた値｝より高い場合、ＷＴＲＵは、この最高の優先度の適切なＣＳＧセルを再選択するようになっていてもよい。ＣＳＧ＿ｏｆｆｓｅｔ＿ｉｎｔｒａの値とＣＳＧ＿ｏｆｆｓｅｔ＿ｉｎｔｅｒの値は、シナリオに依存して、同一であることも、異なることも可能である。
【００５５】
あるいは、ＣＳＧ優先度オフセットは、最高のＣＳＧ優先度を有する適切なＣＳＧセルがより上位の格付けを得るように、セル再選択格付け基準に導入されてもよい。このシナリオにおいて、或る適切なセルが或るＣＳＧ優先度を有し、さらにこのＣＳＧ優先度が、或るＣＳＧ優先度を有する複数の適切なセルのなかで最高である場合、ＷＴＲＵは、この隣接ＣＳＧセルに関して計算されるセル格付け基準Ｒｎにオフセット（例えば、ＣＳＧ＿ｏｆｆｓｅｔ＿ｐｒｉｏｒｉｔｙ）を加算するようになっていてもよい。
【００５６】
代替として、最高の優先度を有する最上位に格付けされていないＣＳＧセルに関する、絶対最小限の受信電力レベルもしくは受信品質が定義されてもよい。ＷＴＲＵは、最高の優先度のＣＳＧセルを、そのＣＳＧセルが最上位に格付けされていない場合でさえ、そのＣＳＧセルの絶対的な受信電力レベルもしくは受信信号品質がしきい値（ＣＳＧｍｉｎｐｗｒ、ＣＳＧｍｉｎｑｕａｌ）より高いという条件付きで、選択するようになっていてもよい。
【００５７】
これらのパラメータ（例えば、ＣＳＧ＿ｏｆｆｓｅｔ＿ｉｎｔｒａ、ＣＳＧ＿ｏｆｆｓｅｔ＿ｉｎｔｅｒ、ＣＳＧ＿ｏｆｆｓｅｔ＿ｐｒｉｏｒｉｔｙ、ＣＳＧｍｉｎｐｗｒ、ＣＳＧｍｉｎｑｕａｌ）は、定数値としてＷＴＲＵにおいて事前構成されても、ＷＴＲＵによって決定されても、ブロードキャストデータ（すなわち、ＳＩ）の中でネットワークによって通知されても、ＲＲＣ（無線リソース制御）メッセージもしくは新たなメッセージの中でネットワークによってシグナリングされてもよく、またはこれらのオフセットは、前述の方法の組合せによって設定されてもよい。
【００５８】
最高の優先度のＣＳＧセルに対するセル再選択が失敗した（例えば、ＷＴＲＵが、このセルのＳＩを読み取ることができない）場合、ＷＴＲＵは、次の優先度の適切なＣＳＧセルを再選択するように構成され得る。代替として、このことは、より下位に格付けされたセルの周波数内再選択がＩＦＲＩ（周波数内再選択指標）情報要素に従って許されるということをＣＳＧセルがシグナリングしている場合に、許されてもよい。
【００５９】
２つのＣＳＧセルが同一の優先度を有する場合、ＷＴＲＵは、最高の下位優先度を有するＣＳＧセルを再選択するために下位優先度を確認することが可能である。しかし、下位優先度も、最高の優先度を有するいくつかのＣＳＧセルに関して最高である場合、ＷＴＲＵは、これらのセルのなかで、最良の信号品質、または最良の受信信号レベルを有するＣＳＧセルを再選択することが可能である。
【００６０】
セル再選択ピンポン問題を回避するために、ＷＴＲＵは、最高の優先度を有するＣＳＧセルを再選択した後、そのセルが適切さの基準を満たさなくなるまで、またはさらに高い優先度の別のＣＳＧセルが適切であり、前述したセル再選択の基準を満たすようになるまで、このセルにキャンプオンしたままであってもよい。
【００６１】
代替として、サービングセルが最高の優先度を有するＣＳＧセルである場合、サービングセルに関するセル格付け基準Ｒｓにオフセットが導入されて、ＷＴＲＵが、元の格付け基準Ｒsの場合と比べて、より長い期間、このＣＳＧセルにキャンプオンしたままになることを強制してもよい。
【００６２】
また、ユーザは、より低い優先度の適切なＣＳＧセル、または任意のＣＳＧ優先度が割り当てられていないＣＳＧセルを手動で再選択するようにＷＴＲＵに強制できるようになっていてもよい。
【００６３】
マルチ周波数展開において、複数のＣＳＧセルが、異なるＣＳＧアイデンティティを有することが可能であり、さらに複数のＨＮＢが、異なる周波数で展開される異なる複数のユーザ／事業者に属することが可能である。したがって、ＷＴＲＵは、現在のＣＳＧにおいて最高の周波数優先度にキャンプされる、または接続されることが可能であるが、ＷＴＲＵは、現在の周波数と比べて、より低い優先度の周波数および／またはＲＡＴにおける他のＣＳＧセルであって、より高いＣＳＧ優先度を有するＣＳＧセルが近辺（vicinity）に存在することを認識することがある。そのような状況において、ＷＴＲＵは、近辺において最高の優先度のＣＳＧが利用可能である周波数を、最高の優先度の周波数と見なすようになっていてもよい。より高い優先度を有するＣＳＧセルが、他の周波数上、または他のＲＡＴ上で近辺において利用可能である場合、ＷＴＲＵは、現在のサービング周波数が最高の優先度の周波数と考えられている（もしくはそのように構成されている）、またはその周波数がターゲットＣＳＧの優先度と比べてより高い優先度の周波数である場合でさえ、その他の周波数を測定することを開始することが可能である。したがって、ＷＴＲＵは、現在のサービングセルの品質が要求されるしきい値を超えている場合でさえ、測定することを開始することが可能である。
【００６４】
その他の周波数を測定する際、複数のＣＳＧ優先度が利用可能である場合、ＷＴＲＵは、最高の優先度のＣＳＧが見出される周波数を最初に測定することを開始するようになっていてもよい。複数のＣＳＧ優先度が利用可能ではない場合、通常の周波数優先度に従うようになっていてもよい。
【００６５】
ＷＴＲＵは、自律的な探索機能に基づいてＣＳＧ近接性を検出するように構成され得る。代替として、ＷＴＲＵは、ＧＰＳ信号の使用、またはマクロセルＰＳＣ／ＰＣＩの格納されたリストに基づく格納されたロケーション座標を含め、フィンガプリントに関する他の方法を使用してもよい。ＷＴＲＵは、ＣＳＧ近接性通知をネットワークに報告することが可能である。このシグナリングは、ＷＴＲＵが、ＷＴＲＵのＣＳＧホワイトリストの中に含められたＣＳＧ  ＩＤを有する１つまたは複数のセルの近辺に入っていくこと（entering）、またはそのような近辺を出ていくこと（leaving）を示すことが可能である。近接性通知は、ＲＲＣ接続再構成シグナリングを送ること／受け取ることに応答して、送られ得る。ＷＴＲＵは、ＷＴＲＵのホワイトリストの一部であるＣＳＧセルを含む優先度もしくは優先度のセットを、ＷＴＲＵの現在の近隣に合致するフィンガプリントで定期的に更新することが可能であり、これらは、「許された隣接ＣＳＧセル（allowed neighbor CSG cells）」と呼ばれ得る。入域近接性通知（entering proximity indication）、または出域近接性通知（leaving proximity indication）が送られる際、ＷＴＲＵは、許された隣接ＣＳＧセルの優先度もしくは優先度のセットが利用可能な場合、その優先度もしくは優先度のセットを、このＣＳＧ近接性通知を伝える信号の中に追加することが可能である。これらのＣＳＧセルに対応する優先度のリストを追加するフィールドが、近接性通知メッセージの中に含められるようになっていてもよい。代替として、ＣＳＧ優先度のこのリストを追加するフィールドが、メッセージレベルで測定レポート（MEASUREMENT REPORT）メッセージの中に追加される、または「ＣＳＧ近接性通知（CSG Proximity Indication）」というＩＥの中に追加されるようになっていてもよい。代替として、リストの代わりに、ＷＴＲＵが、最高のＣＳＧ優先度に対応することが可能な１つのＣＳＧ優先度を報告してもよい。
【００６６】
また、ＷＴＲＵは、しきい値より高いＣＳＧ優先度のＣＳＧセルが近隣に存在するという条件付きで、近接性通知を送ることも可能である。ＣＳＧ優先度しきい値は、より高位の層のシグナリングを介してネットワークによって与えられるようになっていてもよい。このことによって、ネットワークが近接性通知の送信からのシグナリング負荷を低減することを許されるようになっていてもよい。
【００６７】
代替として、ＷＴＲＵがＣＳＧ区域に入り、さらに複数のＣＳＧが近辺に存在し、さらにＷＴＲＵが、１度に１つの近接性通知周波数だけしか送らない可能性がある場合、ＷＴＲＵは、近辺における最高の優先度のＣＳＧの周波数を、入域近接性通知（entering proximity indication）メッセージの中に入れることが可能である。
【００６８】
代替のソリューションにおいて、ＷＴＲＵがＣＳＧセルに接続され、さらにフィンガプリント機能もしくは自律的な探索機能、または任意のロケーションベースの機能により、ホワイトリストの中で許された他のＣＳＧがサービングセルの近辺に存在することを認識している場合、ＷＴＲＵは、近辺のＣＳＧの優先度がサービングＣＳＧより高い優先度である場合、入域近接性通知（entering proximity indication）をトリガすることが可能である。ＷＴＲＵは、近辺のＣＳＧの優先度がサービングＣＳＧより高い優先度であり、さらにそのＣＳＧが、サービングＣＳＧとは異なる周波数層、または異なるＲＡＴにある場合、入域近接性通知（entering proximity indication）をトリガするようにさらに構成され得る。代替として、近辺のＣＳＧが、ＷＴＲＵが現在、接続されているＣＳＧと同一の周波数に位置していることが知られている場合、ＷＴＲＵは、優先度にかかわらず近接性通知をトリガすることが可能である。ＷＴＲＵは、近辺のＣＳＧの優先度がサービングＣＳＧ以下の優先度であるが、サービングＣＳＧの信号品質が、所定の期間、しきい値を下回っている場合、近接性をトリガすることが可能である。
【００６９】
以上と同じことが、逆のシナリオとして、出域近接性通知（leaving proximity indication）にも当てはまり得る。
【００７０】
ＷＴＲＵは、隣接セル測定値を報告するように構成されていてもよく、またはＷＴＲＵは、上位Ｎ個の優先度の隣接ＣＳＧセルの測定値のみ報告するようになっていてもよい。ネットワークに隣接ＣＳＧセル測定値を報告する際、ＷＴＲＵは、ＷＴＲＵがメンバである可能性が高いＣＳＧセル（すなわち、ＷＴＲＵが、検出するＰＳＣ／ＰＣＩに合致するフィンガプリントを有するＣＳＧセル）に関するＣＳＧ優先度を測定レポートの中に含めることが可能である。
【００７１】
ＷＴＲＵは、すべてのＣＳＧ優先度と、利用可能な場合、ＷＴＲＵがメンバである可能性が高い、測定されたすべてのＣＳＧセルの下位優先度とを報告することが可能である。
【００７２】
代替として、ＷＴＲＵは、報告された複数のＣＳＧセルのなかで最高のＣＳＧ優先度を有する、ＷＴＲＵがメンバである可能性が高い複数のＣＳＧセルのＣＳＧ優先度を報告してもよい。ＷＴＲＵは、ＷＴＲＵがメンバである可能性が高いＣＳＧセルのＣＳＧ優先度が、最小限のレベルの優先度以上である場合に、その追加の情報要素を含めてもよい。そのような最小限の優先度レベルは、ＲＲＣシグナリングを介してネットワークによって与えられることが可能である。この事例において、追加の情報要素は、優先度値自体から成る、またはブール値から成っていてもよい。
【００７３】
次に、ネットワークは、最高の優先度の複数のＣＳＧセルのＳＩだけしか読み取らないようＷＴＲＵに要求することを決定してもよい。これにより、ＷＴＲＵバッテリ使用、および次のＷＴＲＵレポートにおけるシグナリング負荷を制限することが可能である。
【００７４】
別の実施形態において、ＷＴＲＵが、ＷＴＲＵがいずれのＣＳＧセルのメンバである可能性が高いかを認識していない場合、ＷＴＲＵは、ＷＴＲＵのホワイトリストの中に存在するすべてのＣＳＧ優先度を、または最高のＣＳＧ優先度だけを測定レポートの中に含めることが可能である。
【００７５】
さらに、ＣＳＧ優先度のＷＴＲＵ報告は、ネットワークによって、既存のＲＲＣメッセージ（例えば、測定制御（MEASUREMENT CONTROL））または新たなＲＲＣメッセージの中で構成されてもよい。ＷＴＲＵは、メンバである可能性が高いＣＳＧセルだけのすべてのＣＳＧ優先度、または最高の優先度を有する、メンバである可能性が高いＣＳＧセルだけ、またはＷＴＲＵホワイトリストの中のすべてのＣＳＧ優先度、またはＷＴＲＵホワイトリストの中の最高のＣＳＧ優先度だけを報告することが可能である。
【００７６】
さらに、ＷＴＲＵは、測定レポート当り１つだけのＣＳＧセルに関する追加の情報を送信するように制限されていてもよい。これが該当する場合、ＷＴＲＵは、最高のＣＳＧ優先度を有するセル、または（そのようなセルが複数存在する場合）それらのセルのなかで最上位に格付けされたセルを選択することが可能である。
【００７７】
代替として、自律的なＳＩ獲得の場合、またはネットワークによって複数のＰＳＣ／ＰＣＩが読み取られることが要求されている場合、ＷＴＲＵは、知られている最高の優先度のＣＳＧのＰＣＩ／ＰＳＣのＳＩを読み取ることを暗黙に開始することが可能である。
【００７８】
ＷＴＲＵは、自律的な探索機能に基づいてＣＳＧ近接性を検出するように構成され得る。次に、ＷＴＲＵは、検出されたＣＳＧのそれぞれに関して測定を実行するようになっていてもよい。次に、ＷＴＲＵは、所定の信号強度を有する複数のＣＳＧのすべてのＣＳＧのＳＩを読み取ろうと試みるようになっていてもよい。ＷＴＲＵは、さらに、隣接ＣＳＧセルのＳＩ（例えば、セルアイデンティティもしくはＣＧＩ、ＣＳＧアイデンティティ、および予備的なメンバ／非メンバのアクセス検査の結果）を報告する際、ＷＴＲＵがＳＩを読み取ることができたＣＳＧセルのＣＳＧ優先度を、測定レポートメッセージの中に含めるように構成され得る。ＷＴＲＵは、以下の規則の１つまたは組合せを使用することが可能である。
【００７９】
ＷＴＲＵは、ＷＴＲＵがＳＩを読み取ることができ、さらにＷＴＲＵがメンバである（すなわち、当該のＣＳＧセルのＳＩの中で獲得されたＣＳＧアイデンティティが、ＷＴＲＵホワイトリストの中に格納されたＣＳＧアイデンティティのうち１つと合致する）すべてのＣＳＧセルのＣＳＧ優先度を報告するようになっていてもよい。別の実施形態において、ＷＴＲＵは、ＷＴＲＵがＳＩを読み取ることができ、ＷＴＲＵがメンバである最高のＣＳＧ優先度のセルのＣＳＧ優先度だけを報告するようになっていてもよい（例えば、シグナリング負荷を制限するために）。
【００８０】
代替として、ＰＳＣ／ＰＣＩの混同が全く存在しないシナリオにおいて、またはネットワークが、ＳＩを読み取ることをＷＴＲＵに要求しない場合に、ＷＴＲＵは、その周波数で知られているＣＳＧ優先度を報告してもよく、またはＷＴＲＵは、最高の優先度のＣＳＧ  ＩＤをネットワークに報告することを選択してもよい。
【００８１】
別のソリューションにおいて、ＷＴＲＵは、ＷＴＲＵがメンバである最高の優先度のＣＳＧセルだけのＳＩを報告し、それらのＣＳＧ優先度を測定レポートの中に含めることが可能である。
【００８２】
代替として、ネットワークに測定レポートを送る際、ＷＴＲＵは、報告されるＰＳＣ／ＰＣＩが、報告されるセルのセットに属する可能性がある場合、または報告されるＰＳＣ／ＰＣＩが、報告されるセルのセットの中の最高の優先度のＣＳＧである場合に設定される１ビットフィールドを使用してもよい。
【００８３】
ＷＴＲＵからＣＳＧ優先度を受信する際、ネットワークは、次いでハンドオーバに関して、最高の優先度のＣＳＧセルを優先させることが可能である。報告されたいくつかのＣＳＧセルが同一の最高のＣＳＧ優先度（および同一の最高のＣＳＧ下位優先度）を有する場合、ネットワークは、ＷＴＲＵが、最良の受信信号電力および／または最良の受信信号品質を報告したＣＳＧセルを選択することを決定することが可能である。最高のＣＳＧ優先度セルへのハンドオーバをもたらす干渉の可能性がある場合、ネットワークは、ＷＴＲＵを利用可能な場合、ＷＴＲＵによって報告された次のＣＳＧ優先度セルであり得る、異なるＣＳＧセルにＷＴＲＵをハンドオーバすることを決定することが可能である。代替として、ネットワークは、それでも、最高の優先度のＣＳＧセルにＷＴＲＵをハンドオーバすることを決定する可能性があるが、より低いＣＳＧ優先度を有するＣＳＧセルに、それらのＣＳＧセルの送信電力を低減して、ＷＴＲＵに対する干渉を制限するよう要求することが可能であり、さらにＷＴＲＵに、ＷＴＲＵの送信電力を低減して、それらのより低い優先度のＣＳＧセルに対する干渉を制限するよう要求することが可能である。ネットワークは、いくつかのＣＳＧセルが、一部のＷＴＲＵに関して高い優先度を有するとともに、他のＷＴＲＵに関して低い優先度を有することが可能であるという事実を考慮に入れ、さらに相応して競合を回避するように干渉を管理しなければならないことがある。
【００８４】
ＷＴＲＵによって開始されるＳＩ読み取り（すなわち、ＷＴＲＵが、ネットワークによって明示的に指示されずにＣＳＧセルのＳＩを読み取ること）の場合、ＷＴＲＵは、ＷＴＲＵのバッテリ使用を制限するために、最低の優先度のＣＳＧセルのＳＩを読み取ることを回避することが可能である。ＷＴＲＵは、最高のＣＳＧ優先度セルのＳＩ、またはしきい値ＣＳＧｍｉｎｐｒｉｏを超えるＣＳＧ優先度を有するセルのＳＩ、または残りのＣＳＧセルより高い優先度を有する最初のＮ個のＣＳＧセルのＳＩだけを獲得することが可能である。値ＣＳＧｍｉｎｐｒｉｏおよび値Ｎは、ＷＴＲＵにおいて事前構成されること、ユーザによって構成可能であること、ＷＴＲＵによって決定されること、または、例えば、測定制御もしくはＲＲＣＣｏｎｎｅｃｔｉｏｎＲｅｃｏｎｆｉｇｕｒａｔｉｏｎのような既存のＲＲＣメッセージの中で、または新たなＲＲＣメッセージの中でネットワークによってブロードキャストされる、もしくはシグナリングされることが可能である。
【００８５】
ＣＳＧ優先度は、ユーザによって手動で設定されてもよい。ＷＴＲＵホワイトリストの中に新たなＣＳＧ  Ｉｄが追加されると、ユーザは、このＣＳＧに関する優先度を選択するように促されるようになっていてもよい。ＷＴＲＵホワイトリストの中に既に存在するＣＳＧの場合、ユーザは、ＷＴＲＵが初めて使用される際に、またはＷＴＲＵがオンにされるたびに、このホワイトリストのすべてのＣＳＧ部分の優先度を設定するように促されるようになっていてもよい。ユーザは、ＷＴＲＵホワイトリストのＣＳＧ部分のＣＳＧ優先度を初回の設定として、または更新として任意の時点で構成する可能性を有し得る。
【００８６】
さらに、ＣＳＧ優先度は、事業者によって事前構成されることが可能であり、例えば、ユーザ自宅ＣＳＧが、常に最高の優先度を受けるようになっていてもよい。また、このＣＳＧ優先度は、ＣＳＧタイプに依存して設定されることも可能である。
【００８７】
ＣＳＧ優先度は、周波数層に依存するようになっていてもよい。例えば、或る周波数内のすべてのＣＳＧセルが、同一のＣＳＧ優先度を有するように制約され得る。そのようなアプローチが採用される場合、ＣＳＧ優先度は、通常の周波数優先度に類似した機構を使用して獲得されてもよく、すなわち、専用のＣＳＧ優先度、または一般的なＣＳＧ優先度が利用可能であってもよい。
【００８８】
ネットワークは、既存のＲＲＣメッセージ（例えば、ＲＲＣ接続セットアップメッセージ（RRC CONNECTION SETUP）もしくは測定制御（MEASUREMENT CONTROL）メッセージ、またはＲＲＣＣｏｎｎｅｃｔｉｏｎＲｅｃｏｎｆｉｇｕｒａｔｉｏｎメッセージ）を使用して、または新たなＲＲＣメッセージを使用して、ＷＴＲＵにＣＳＧ優先度を送ることが可能である。
【００８９】
ＣＳＧ優先度は、ユーザがどれだけ頻繁に或る特定のＣＳＧセルに接続するかに依存して、ＷＴＲＵによって自動的に更新され得る。例えば、ＷＴＲＵは、ユーザがしばしば、自宅ＣＳＧセルに接続することを検出し、さらにそのＣＳＧセルの優先度を大幅に増加させるようになっていてもよく、ＷＴＲＵは、ユーザが或る特定のコーヒーショップＣＳＧセルにしばしば、接続することを検出して、対応するＣＳＧ優先度を増加させるが、自宅ＣＳＧセルの場合ほどは増加させないようになっていてもよい。
【００９０】
ＣＳＧ優先度のすべて、またはサブセットを無効にするオプションが、ユーザに利用可能であり得る。また、ネットワークが、例えば、干渉管理の目的で、または他の任意の目的（例えば、Ｈ（ｅ）ＮＢ輻輳管理、Ｈ（ｅ）ＮＢ負荷管理など）で、ＷＴＲＵにおけるＣＳＧ優先度を無効にすることができるようになっていてもよい。ＩＥを有効にしたり、無効にしたりするＣＳＧ優先度が、既存のＲＲＣメッセージの中に、例えば、測定制御メッセージ、ＲＲＣＣｏｎｎｅｃｔｉｏｎＲｅｃｏｎｆｉｇｕｒａｔｉｏｎメッセージの中に追加されることが可能であり、または新たなＲＲＣメッセージが定義されてもよい。
【００９１】
ＣＳＧごとに、または優先度を有するすべてのＣＳＧに関して、またはＣＳＧのサブセットに関してＣＳＧ優先度に関する有効性タイマが定義され得る。さらに、２つのタイプの優先度、すなわち、永久タイプおよび一時的なタイプが定義され得る。永久の優先度は、ユーザまたはネットワークがその優先度を削除しない限り、有効であり得るのに対して、一時的な優先度は、事前定義された期間中、有効であり得る。例えば、永久の優先度が、ユーザ自宅ＣＳＧセルに関して使用され得るのに対して、一時的な優先度は、ユーザの友人のＣＳＧセル優先度に関して使用され得る。有効性持続時間は、ユーザによって設定されても、ＷＴＲＵによって自動的に設定されても、既存のＲＲＣメッセージの中で、または新たなＲＲＣメッセージの中でネットワークによってシグナリングされてもよい。
【００９２】
ＣＳＧ優先度がオプションであり（すなわち、すべてのＣＳＧに優先度が割り当てられているわけではない）、さらにいくつかのＣＳＧセルに優先度が割り当てられている一方で、他のＣＳＧセルには優先度が割り当てられていない場合、ＷＴＲＵは、優先度を有さないＣＳＧセルは最低の優先度を有するものと想定することが可能である。代替として、ＷＴＲＵは、これらのＣＳＧセルが中間の優先度を有すると想定してもよい。別の実施形態において、ＣＳＧ優先度が使用される場合に、ＷＴＲＵホワイトリストの中の各ＣＳＧに優先度が割り当てられ得ると指定されてもよい。
【００９３】
ホワイトリストは、ユーザによって許されるＣＳＧリスト、および事業者によって許されるＣＳＧリストという異なる２つのリストから構成され得るので、優先度に矛盾が生じる可能性があり、すなわち、その２つのリスト上で同一のＣＳＧに異なる優先度が割り当てられている可能性がある。この場合、ＷＴＲＵは、事業者によって許されるＣＳＧリストの中で定義されたＣＳＧ優先度だけしか考慮に入れないことを決定することが可能であり、または、代替として、ＷＴＲＵは、ユーザによって許されるＣＳＧリストの中で定義されたＣＳＧ優先度だけしか考慮に入れないことを決定することが可能である。異なる実施形態において、ＷＴＲＵは、ユーザによって許されるＣＳＧリストの中で定義されたＣＳＧ優先度と、事業者によって許されるＣＳＧリストの中で定義されたＣＳＧ優先度の間のＣＳＧ優先度平均を、その２つのリストに同一の重みが割り当てられて、またはその２つのリストのいずれかのリストのＣＳＧ優先度により大きい重みが割り当てられて、計算することが可能である。
【００９４】
実施形態
１．アイドルモードおよび接続モードでＣＳＧ（限定加入者グループ）優先度を管理するための方法であって、
ＣＳＧに関連付けられたセルを選択するＷＴＲＵ（ワイヤレス送信／受信ユニット）のためにホワイトリストに優先順位を付けるステップを備える方法。
２．ＷＴＲＵにワイヤレスサービスを提供するＣＳＧの一部として含まれるＨＮＢ（ホームノードＢ）をさらに備える実施形態１に記載の方法。
３．セル選択手順およびセル再選択手順が、ＣＳＧ優先度を考慮に入れるために変更される前述のいずれかの実施形態に記載の方法。
４．周波数間シナリオの場合のＣＳＧセルに対するセル再選択に関して、現在のサービングセルとターゲットＣＳＧセルが、異なる周波数上にある前述のいずれかの実施形態に記載の方法。
５．ＲＡＴ（無線アクセス技術）間シナリオの場合のＣＳＧセルに対するセル再選択に関して、現在のサービングセルとターゲットＣＳＧセルが、異なるＲＡＴに属する前述のいずれかの実施形態に記載の方法。
６．適切なＣＳＧセルが異なる周波数上で検出され、さらにこれらのＣＳＧセルが、それぞれのＣＳＧセルの周波数上で最も強い場合、ＷＴＲＵは、最高のＣＳＧ優先度を有するＣＳＧセルのサブセットのなかの１つのＣＳＧセルを再選択する前述のいずれかの実施形態に記載の方法。
７．複数の適切なＣＳＧセルが異なる周波数上で検出された場合、以下のうち少なくとも１つを実行する、すなわち、ＷＴＲＵが、１つのセルを恣意的に選択し、および／または異なる優先度が適用される前述のいずれかの実施形態に記載の方法。
８．ＷＴＲＵは、ＣＳＧセル自らの周波数上で最上位に格付けされていない高い優先度のＣＳＧセルを、このＣＳＧセルより上位に格付けされたすべてのセルが他のＣＳＧセルである場合に、再選択することを許される前述のいずれかの実施形態に記載の方法。
９．ＷＴＲＵは、選択されるべき高い優先度のＣＳＧセルより上位に格付けされたすべてのセルが、より下位に格付けされたセルの周波数内再選択が、ＩＦＲＩ（周波数内再選択指標）情報要素に従って許されることを示すシグナリングを与えることを要求する前述のいずれかの実施形態に記載の方法。
１０．ＷＴＲＵは、ターゲットセルの信号品質がしきい値を超えている、またはターゲットセルの信号品質が、或るしきい値だけ最上位に格付けされたセルより低いという条件付きで、より下位に格付けされたセルを再選択することを許される前述のいずれかの実施形態に記載の方法。
１１．しきい値は、所定の期間に関する前述のいずれかの実施形態に記載の方法。
１２．適切なＣＳＧセルの受信信号電力または信号品質は、指定された値だけオフセットされる前述のいずれかの実施形態に記載の方法。
１３．より上位の格付けを有する最高のＣＳＧ優先度が付けられた適切なＣＳＧセルが選択され得るように、ＣＳＧ優先度オフセットがセル再選択格付け基準自体の中に導入され得る前述のいずれかの実施形態に記載の方法。
１４．ＷＴＲＵは、最高の優先度のＣＳＧセルを、最上位に格付けされていない場合でさえ、そのＣＳＧセルの絶対的な受信電力レベルもしくは受信信号品質が所定のしきい値より高い可能性があるという条件付きで、選択する前述のいずれかの実施形態に記載の方法。
１５．ＷＴＲＵは、最高の優先度のＣＳＧセルを、最上位に格付けされていない場合でさえ、そのＣＳＧセルの絶対的な受信電力レベルもしくは受信信号品質が所定のしきい値より高い可能性があるという条件付きで、選択する前述のいずれかの実施形態に記載の方法。
１６．ＣＳＧオフセットおよび／またはＣＳＧ電力パラメータは、以下のうち少なくとも１つとして、すなわち、ＷＴＲＵによって決定される定数値として、システム情報を参照するブロードキャストデータの中でネットワークによって示される定数値として、および／または既存のＲＲＣメッセージの中でネットワークによってシグナリングされる定数値として事前構成される前述のいずれかの実施形態に記載の方法。
１７．最高の優先度のＣＳＧセルに対するセル再選択が失敗した場合、ＷＴＲＵは、次の優先度の適切なＣＳＧセルを再選択する前述のいずれかの実施形態に記載の方法。
１８．ＣＳＧセルが、より下位に格付けされたセルの周波数内再選択がＩＦＲＩ（周波数内再選択指標）情報要素に従って許されることをシグナリングしている場合、優先度の適切なＣＳＧセルが許される前述のいずれかの実施形態に記載の方法。
１９．２つのＣＳＧセルが同一の優先度を有する場合、ＷＴＲＵは、最高の下位優先度を有するＣＳＧセルを再選択するために下位優先度を確認する前述のいずれかの実施形態に記載の方法。
２０．下位優先度が、最高の優先度を有するいくつかのＣＳＧセルに関して最高である場合、ＷＴＲＵは、これらのセルのなかで、最良の信号品質、または最良の受信信号レベルを有するＣＳＧセルを再選択する前述のいずれかの実施形態に記載の方法。
２１．セル再選択ピンポン問題を回避して、ＷＴＲＵは、最高の優先度を有するＣＳＧセルを再選択した後、このセルが適切さの基準に不合格となるまで、またはより高い優先度の別のＣＳＧが、適切になるとともに、セル再選択の基準を満たすことが可能になるまで、このセルにキャンプオンしたままになる前述のいずれかの実施形態に記載の方法。
２２．サービングセルが、最高の優先度を有するＣＳＧセルである場合、サービングセルに関するセル格付け基準Ｒｓにオフセットが導入される前述のいずれかの実施形態に記載の方法。
２３．セル格付け基準Ｒｓに導入されるオフセットは、元の格付け基準Ｒｓの場合と比べて、より長い期間、このＣＳＧセルにキャンプオンしたままになるようにＷＴＲＵに強制する前述のいずれかの実施形態に記載の方法。
２４．ユーザは、より低い優先度の適切なＣＳＧセル、またはＣＳＧ優先度の全く割り当てられていないＣＳＧセルを手動で再選択するようにＷＴＲＵを強制できることが可能である前述のいずれかの実施形態に記載の方法。
２５．マルチ周波数展開、異なるＣＳＧアイデンティティを有するＣＳＧセル、および異なるユーザもしくは異なる事業者に属するホームノードＢが、異なる周波数で展開される前述のいずれかの実施形態に記載の方法。
２６．ＷＴＲＵは、現在の周波数より高いＣＳＧ優先度を有する、より低い優先度の周波数またはＲＡＴにおける他のＣＳＧセルが近辺に存在することを認識している前述のいずれかの実施形態に記載の方法。
２７．周波数を測定する際、複数のＣＳＧ優先度が利用可能である場合、ＷＴＲＵは、最高の優先度のＣＳＧが見出される周波数を最初に測定することを開始する前述のいずれかの実施形態に記載の方法。
２８．ＣＳＧ近接性通知をネットワークに報告する際、ＷＴＲＵは、利用可能な場合、許された隣接ＣＳＧセルの優先度、または優先度のセットを追加する前述のいずれかの実施形態に記載の方法。
２９．ＷＴＲＵホワイトリストのＣＳＧセル部分は、ＷＴＲＵの現在の近隣と合致するフィンガプリントを含む前述のいずれかの実施形態に記載の方法。
３０．ＣＳＧ近接性通知を伝える信号は、ＷＴＲＵがＣＳＧ区域に入る際、およびＣＳＧ区域を出る際に実行される前述のいずれかの実施形態に記載の方法。
３１．ＬＴＥ（ロングタームイボリューション）に関して、これらのＣＳＧセルに対応する優先度のリストに既存の近接性通知メッセージの中でフィールドが追加される前述のいずれかの実施形態に記載の方法。
３２．ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に関して、ＣＳＧ優先度のリストのために、メッセージレベルで測定レポートのメッセージの中に、またはＩＥ（情報要素）の中にフィールドが追加される前述のいずれかの実施形態に記載の方法。
３３．ＷＴＲＵは、しきい値より高いＣＳＧ優先度のＣＳＧセルが近隣に存在する場合、近接性通知を送る前述のいずれかの実施形態に記載の方法。
３４．ＣＳＧ優先度しきい値は、より高位の層のシグナリングを介してネットワークによって与えられる前述のいずれかの実施形態に記載の方法。
３５．ＷＴＲＵが、或るＣＳＧ区域に入り、さらに複数のＣＳＧが近辺に存在する場合、ＷＴＲＵは、１度に１つの近接性通知周波数を送る前述のいずれかの実施形態に記載の方法。
３６．ＷＴＲＵは、そのＣＳＧ区域内の最高の優先度のＣＳＧの周波数に近接性通知メッセージを送る前述のいずれかの実施形態に記載の方法。
３７．ＷＴＲＵは、ＣＳＧセルに接続され、さらにフィンガプリント、自律的な探索機能、または任意のロケーションベースの機能に基づいて、ホワイトリストの中で許される他のＣＳＧがサービングセルの近辺に存在することを認識しており、さらにＷＴＲＵは、以下の少なくとも１つ、すなわち、近辺のＣＳＧの優先度がサービングＣＳＧより高い優先度であるという条件付きで、入域近接性通知（entering proximity indication）をトリガすること、近辺のＣＳＧの優先度がサービングＣＳＧより高い優先度であり、さらにそのＣＳＧが、サービングＣＳＧとは異なる周波数層、または異なるＲＡＴにあるという条件付きで、入域近接性通知（entering proximity indication）をトリガすること、近辺のＣＳＧが、ＣＳＧが現在、接続されているのと同一の周波数に位置していることが知られているという条件付きで、優先度にかかわらず近接性通知をトリガすること、および／または近辺のＣＳＧの優先度がサービングＣＳＧ以下の優先度であるが、サービングＣＳＧの信号品質が、しきい値を下回っているという条件付きで、近接性通知をトリガすることを実行する前述のいずれかの実施形態に記載の方法。
３８．隣接ＣＳＧセル測定値をネットワークに報告する際、ＷＴＲＵは、ＷＴＲＵがメンバである可能性が高いＣＳＧセルに関するＣＳＧ優先度を含める前述のいずれかの実施形態に記載の方法。
３９．隣接ＣＳＧセル測定値をネットワークに報告する際、ＷＴＲＵが、ＣＳＧセルの検出されたＰＳＣ／ＰＣＩ（一次同期符号／物理的セルアイデンティティ）と合致するフィンガプリントを有するＣＳＧセルを含める前述のいずれかの実施形態に記載の方法。
４０．ネットワークに対する隣接ＣＳＧセル測定値は、測定レポートの中に入っており、ＷＴＲＵによって以下、すなわち、すべてのＣＳＧ優先度、および、利用可能な場合、メンバの可能性が高い測定されたすべてのＧＳＧセルの下位優先度、報告されたＣＳＧセルのなかで最高のＣＳＧ優先度を有する、メンバである可能性が高いＣＳＧセルに関するＣＳＧ優先度だけのうち少なくとも１つを含め、ＷＴＲＵがメンバである可能性が高いＣＳＧセルのＣＳＧ優先度が、最小限のレベルの優先度以上である場合に、追加の情報要素、またはオプションの情報要素を含める前述のいずれかの実施形態に記載の方法。
４１．最小限の優先度レベルは、ＲＲＣシグナリングを介してネットワークによって与えられ、さらに追加の情報要素は、優先度値自体、またはブール値を含む前述のいずれかの実施形態に記載の方法。
４２．ネットワークは、ＷＴＲＵバッテリ使用、および次のＷＴＲＵレポートにおけるシグナリング負荷を制限するために、最高の優先度の１つまたは複数のＣＳＧセルのシステム情報のみ読み取るようＷＴＲＵに要求することを決定する前述のいずれかの実施形態に記載の方法。
４３．ＷＴＲＵは、ＷＴＲＵがいずれのＣＳＧセルのメンバである可能性が高いかを認識しておらず、ＷＴＲＵは、ＷＴＲＵのホワイトリストの中に存在するすべてのＣＳＧ優先度を測定レポートの中に含める前述のいずれかの実施形態に記載の方法。
４４．ＷＴＲＵは、ＷＴＲＵがいずれのＣＳＧセルのメンバである可能性が高いかを認識しておらず、ＷＴＲＵは、すべての最高のＣＳＧ優先度を測定レポートの中に含める前述のいずれかの実施形態に記載の方法。
４５．ＷＴＲＵは、測定レポート当り１つのみのＣＳＧセルに関する追加の情報を送信するように制限される前述のいずれかの実施形態に記載の方法。
４６．ＷＴＲＵは、最高のＣＳＧ優先度を有するセルに、または複数のセルが存在する場合、それらのセルのなかで最上位に格付けされたセルに追加の情報を送る前述のいずれかの実施形態に記載の方法。
４７．自律的なＳＩ獲得の場合、またはネットワークによって複数のＰＳＣ／ＰＣＩが読み取られるように要求されている場合、ＷＴＲＵは、知られている最高の優先度のＣＳＧのＰＣＩ／ＰＳＣのＳＩを読み取ることを暗黙に開始することが可能である前述のいずれかの実施形態に記載の方法。
４８．ＷＴＲＵは、隣接ＣＳＧセルのシステム情報をネットワークに報告する前述のいずれかの実施形態に記載の方法。
４９．システム情報は、ＵＭＴＳに関するセルアイデンティティ、ＬＴＥに関するＣＧＩ（セルグローバルアイデンティティ）、およびＣＳＧアイデンティティ、ならびに予備的なメンバ／非メンバのアクセス検査の結果を含む前述のいずれかの実施形態に記載の方法。
５０．ＷＴＲＵは、ＷＴＲＵがシステム情報を読み取ることができ、さらにＷＴＲＵがメンバであるすべてのＣＳＧセルのＣＳＧ優先度を報告する前述のいずれかの実施形態に記載の方法。
５１．ＷＴＲＵは、ＷＴＲＵがシステム情報を読み取ることができる可能性があり、さらにＷＴＲＵがメンバである最高のＣＳＧ優先度セルのＣＳＧ優先度を報告する前述のいずれかの実施形態に記載の方法。
５２．ＰＳＣ／ＰＣＩ混同が全く存在しないシナリオ、またはネットワークがＳＩを読み取るようＷＴＲＵに要求する場合、ＷＴＲＵは、それでもネットワークに、その周波数において知られているＣＳＧ優先度を報告することが可能であり、またはＷＴＲＵは、最高の優先度のＣＳＧ  ＩＤをネットワークに報告することを選択する前述のいずれかの実施形態に記載の方法。
５３．ＷＴＲＵは、ＷＴＲＵがメンバであり、さらに測定レポートの中でＣＳＧ優先度を含む最高の優先度のＣＳＧセルだけのシステム情報を報告する前述のいずれかの実施形態に記載の方法。
５４．測定レポートをネットワークに送る際、ＷＴＲＵは、報告されるＰＳＣ／ＰＣＩが、報告されるセルのセットに属する場合、または報告されるＰＳＣ／ＰＣＩが、報告されるセルのセットの中で最高の優先度のＣＳＧであり得る場合に設定される１ビットフィールドを使用する前述のいずれかの実施形態に記載の方法。
５５．ＷＴＲＵからＣＳＧ優先度を受信する際、ネットワークは、ハンドオーバに関して最高の優先度のＣＳＧセルを優先させる前述のいずれかの実施形態に記載の方法。
５６．ＷＴＲＵからＣＳＧ優先度を受信する際、報告されるＣＳＧセルが、同一の最高のＣＳＧ優先度、および同一の最高の下位優先度を有する場合、ネットワークは、ＷＴＲＵが最良の受信信号電力および／または信号品質を報告したＣＳＧセルを選択することを決定する前述のいずれかの実施形態に記載の方法。
５７．潜在的な干渉が、最高のＣＳＧ優先度セルへのハンドオーバをもたらし、ネットワークは、ＷＴＲＵによって報告された次のＣＳＧ優先度セルであり得る、異なるＣＳＧセルにＷＴＲＵをハンドオーバすることを決定することが可能である前述のいずれかの実施形態に記載の方法。
５８．ネットワークは、最高の優先度のＣＳＧセルにＷＴＲＵをハンドオーバすることを決定するが、ＣＳＧセルの送信電力を低減して、ＷＴＲＵに対する干渉を制限するよう、より低いＣＳＧ優先度を有するＣＳＧセルに要求する前述のいずれかの実施形態に記載の方法。
５９．ネットワークは、ＷＴＲＵの送信電力を低減して、より低い優先度のＣＳＧセルに対する干渉を制限するようＷＴＲＵに要求する前述のいずれかの実施形態に記載の方法。
６０．ネットワークは、いくつかのＣＳＧセルが、一部のＷＴＲＵに関して高い優先度を有するとともに、他のＷＴＲＵに関して低い優先度を有するという事実を考慮に入れ、さらに相応して競合を回避するように干渉を管理する前述のいずれかの実施形態に記載の方法。
６１．ＷＴＲＵによって開始されたシステム情報読み取りという条件付きで、ＷＴＲＵは、ＷＴＲＵのバッテリ使用を制限するために最低の優先度のＣＳＧセルのシステム情報を読み取らない前述のいずれかの実施形態に記載の方法。
６２．ＣＳＧ優先度は、以下の少なくとも１つによって、すなわち、新たなＣＳＧ  ＩｄがＷＴＲＵホワイトリストの中に追加されるたびに、事業者によって事前構成されて、ネットワークが、既存のＲＲＣメッセージを使用してＷＴＲＵにＣＳＧ優先度を送って、またはユーザがどれだけ頻繁に或る特定のＣＳＧセルに接続するかに依存して、ＷＴＲＵによって自動的に更新されて、ユーザによって手動で設定される前述のいずれかの実施形態に記載の方法。
６３．ユーザは、ＣＳＧ優先度のすべて、またはサブセットを無効にするオプションを有する前述のいずれかの実施形態に記載の方法。
６４．ＩＥを有効にしたり、無効にしたりするＣＳＧ優先度が、既存のＲＲＣメッセージの中に追加される前述のいずれかの実施形態に記載の方法。
６５．ＣＳＧ優先度に関する有効性タイマが、ＣＳＧごとに、または優先度を有するすべてのＣＳＧに関して、またはＣＳＧのサブセットに関して定義される前述のいずれかの実施形態に記載の方法。
６６．複数のタイプの優先度、永久タイプと一時的なタイプが存在する前述のいずれかの実施形態に記載の方法。
６７．永久の優先度は、ユーザまたはネットワークの決定に基づく期間、有効である前述のいずれかの実施形態に記載の方法。
６８．一時的な優先度は、事前定義された期間中に限って有効であり得る前述のいずれかの実施形態に記載の方法。
６９．ホワイトリストは、ユーザによって許されるＣＳＧリスト、および事業者によって許されるＣＳＧリストという異なる２つのリストから構成される前述のいずれかの実施形態に記載の方法。
７０．ＷＴＲＵは、ユーザによって許されるＣＳＧリストの中で定義されたＣＳＧ優先度と、事業者によって許されるＣＳＧリストの中で定義されたＣＳＧ優先度の間のＣＳＧ優先度平均を、その２つのリストに同一の重みが割り当てられて、またはその２つのリストのいずれかのリストのＣＳＧ優先度により大きい重みが割り当てられて、計算する前述のいずれかの実施形態に記載の方法。
７１．前述のいずれかの実施形態に記載の方法を実行するように構成されたＷＴＲＵ。
７２．受信機をさらに備える実施形態７１のＷＴＲＵ。
７３．送信機をさらに備える実施形態７１〜７２に記載のＷＴＲＵ。
７４．その送信機および／またはその受信機と通信状態にあるプロセッサをさらに備える実施形態７１〜７３に記載のＷＴＲＵ。
７５．実施形態１〜７０のいずれかの少なくとも一部に記載の方法を実行するように構成されたノードＢ。
７６．実施形態１〜７０のいずれかの少なくとも一部に記載の方法を実行するように構成された集積回路。
【００９５】
特徴および要素は、特定の組合せで、前段で説明されるものの、各特徴、または各要素は、単独で使用されることも、他の特徴および要素と任意に組み合わせて使用されることもあり得ることが、当業者には理解されよう。さらに、本明細書で説明される方法は、コンピュータもしくはプロセッサによって実行されるようにコンピュータ可読媒体に組み込まれた、コンピュータプログラムで実施されても、ソフトウェアで実施されても、ファームウェアで実施されてもよい。コンピュータ可読媒体の例には、電子信号（有線接続またはワイヤレス接続を介して伝送される）およびコンピュータ可読記憶媒体が含まれる。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内部ハードディスクおよびリムーバブルなディスクなどの磁気媒体、光磁気媒体、ならびにＣＤ−ＲＯＭディスクおよびＤＶＤ（デジタルバーサタイルディスク）などの光媒体が含まれるが、以上には限定されない。ソフトウェアに関連するプロセッサが、ＷＴＲＵ、ＵＥ、端末装置、基地局、ＲＮＣ、または任意のホストコンピュータにおいて使用されるように無線周波数トランシーバを実施するのに使用され得る。
【図１Ａ】
0005385467.tif 000002
【図１Ｂ】
0005385467.tif 000003
【図１Ｃ】
0005385467.tif 000004
【図２】
0005385467.tif 000005
【図３】
0005385467.tif 000006
【図４】
0005385467.tif 000007